(57)【要約】【課題】起動トリガ条件に従って移動端末へ通知する移動通信システム及び位置情報通知制御方法に関し、位置情報データベースに対するアクセス頻度を低減する。【解決手段】位置関係起動トリガシナリオに従って監視対象の移動端末に対して通知を行う移動通信システム及び位置情報通知制御方法であって、位置情報データベース１１により管理している監視対象の移動端末の位置情報を、位置情報検索時間毎に位置情報検索装置１の位置情報検索部６によって検索して求めた位置情報検索データ１０と位置関係起動トリガシナリオ９と位置情報検索判定データ８とを基に次回の位置検索時間を決定し、位置情報検索データ１０と位置関係起動トリガシナリオ９とを基に監視対象の移動端末に対する通知を行うか否かを位置関係起動トリガ判定部７により判定する。【選択図】      図１
2004241876.tif 000002
【特許請求の範囲】
【請求項１】
要求された位置関係起動トリガシナリオに従って監視対象の移動端末に対して通知を行う移動通信システムに於いて、
前記移動端末の位置情報を位置情報データベースによって管理する位置情報管理装置と、
前記位置関係起動トリガシナリオに従って監視対象の移動端末の位置情報を検索する位置情報検索装置とを備え、
該位置情報検索装置は、前記位置関係起動トリガシナリオを登録し、且つ位置情報検索時間判定データを格納したデータ管理手段と、位置情報検索時間毎に前記位置情報管理装置から移動端末の位置情報を取得し、該位置情報と前記位置関係起動トリガシナリオと前記位置情報検索時間判定データとを基に次回の位置情報検索時間を決定する位置情報検索手段と、該位置情報検索手段により検索した前記位置情報と前記位置関係起動トリガシナリオとを基に監視対象の移動端末に対する通知を行うか否かを判定する位置関係起動トリガ判定手段とを有する
ことを特徴とする移動通信システム。
【請求項２】
前記位置情報検索装置の前記データ管理手段は、前記監視対象の移動端末が移動する各エリア間の最短距離を格納したエリア間最短距離テーブルを有し、前記位置情報検索手段は、監視対象の移動端末の位置情報又は監視対象の２台の移動端末のそれぞれの位置情報を基にエリア間の最短距離を前記エリア間最短距離テーブルから求めて、エリア間最短距離が短い程、短い時間間隔で次回位置情報検索時間を決定する機能を有することを特徴とする請求項１記載の移動通信システム。
【請求項３】
前記位置情報検索装置の前記データ管理手段は、前記監視対象の移動端末がエリア間を移動する時間を格納したエリア間最短移動時間テーブルを有し、前記位置情報検索手段は、監視対象の移動端末の位置情報又は監視対象の２台の移動端末のそれぞれの位置情報を基にエリア間を移動する最短移動時間を前記エリア間最短移動時間テーブルから求めて、エリア間最短移動時間が短い程、短い時間間隔で次回位置情報検索時間を決定する機能を有することを特徴とする請求項１記載の移動通信システム。
【請求項４】
要求された位置関係起動トリガシナリオに従って監視対象の移動端末に対して通知を行う位置情報通知制御方法に於いて、
位置情報管理装置の位置情報データベースにより管理している監視対象の移動端末の位置情報を、位置情報検索時間毎に位置情報検索装置の位置情報検索手段によって検索して求め、該位置情報と前記位置関係起動トリガシナリオと位置情報検索判定データとを基に次回位置検索時間を決定し、前記位置情報検索手段により求めた前記位置情報と前記位置関係起動トリガシナリオとを基に前記監視対象の移動端末に対する通知を行うか否かを位置関係起動トリガ判定手段により判定する過程を含む
ことを特徴とする位置情報通知制御方法。
【請求項５】
前記位置情報検索手段に於ける次回位置情報検索時間を、監視対象の移動端末とエリアとの間又は２台の移動端末間が短い程、短い時間間隔として設定する過程を含むことを特徴とする請求項４記載の位置情報通知制御方法。
【発明の詳細な説明】
【０００１】
【発明の属する技術分野】
本発明は、携帯電話機等の監視対象とした移動端末が、監視対象としたエリア等に到着した場合、或いは、監視対象とした２台の移動端末の相互間の距離が所望範囲内となった場合等に於いて、その移動端末に対して通知する移動通信システム及び位置情報通知制御方法に関する。
【０００２】
【従来の技術】
携帯電話機等の移動端末間又は移動端末と固定端末との間の通信を行う移動通信システムに於いては、移動端末に対する着信時に呼出しを行う為に、ネットワークシステム側に、その移動端末の現在位置を制御チャネルを介して、例えば、ホームロケーションレジスタＨＬＲ（Ｈｏｍｅ  Ｌｏｃａｔｉｏｎ  Ｒｅｇｉｓｔｅｒ）等のデータベースに登録し、その現在位置を含むエリア又はその近傍のエリアを含めて一斉呼出しを行うものである。従って、ネットワークシステム側に於いては、移動端末の位置登録によって、現在位置を例えばエリア単位で認識することができる。
【０００３】
しかし、移動端末側では、現在位置を識別する手段を備えていない場合が一般的である。そこで、移動端末としてのＰＨＳ（Ｐｅｒｓｏｎａｌ  Ｈａｎｄｙｐｈｏｎｅ  Ｓｙｓｔｅｍ）による移動通信システムに於いては、基地局のサービスエリアが比較的狭いことにより、基地局の緯度，経度等による位置情報を基に、ＰＨＳの現在位置を、インターネットを介して或いはファクシミリにより提供するサービスが知られている。
【０００４】
又ＧＰＳ（Ｇｌｏｂａｌ  Ｐｏｓｉｔｉｏｎｉｎｇ  Ｓｙｓｔｅｍ）を移動端末に搭載し、複数のＧＰＳ衛星から電波を受信して、移動端末内の処理或いは基地局を介して制御局に電波受信内容を転送して処理し、その結果を受信することにより、数ｍ程度の精度で現在位置情報を得ることができる。
【０００５】
又移動端末としてのＰＨＳに対しては、そのＰＨＳの現在位置情報及びＰＨＳ間が所望距離となった時に通知するサービスが提案されている。この場合、ネットワークシステム側のサービス制御局ＳＣＰ（Ｓｅｒｖｉｃｅ  ＣｏｎｔｒｏｌＰｏｉｎｔ）に於いて、一定の時間間隔で、ＰＨＳが通信可能となった基地局のＩＤを取得し、その基地局のＩＤを基に基地局の緯度，経度をテーブル等により求め、この基地局の緯度，経度による現在位置情報を、ＰＨＳの要求に対して通知する。又は、それぞれのＰＨＳの現在位置情報からＰＨＳ間の距離を算出し、所望の接近距離となった時に、それぞれのＰＨＳに通知するものである（例えば、特許文献１参照）。
【０００６】
【特許文献１】
特開２０００−２０９６４０号公報
【０００７】
【発明が解決しようとする課題】
従来の移動端末に対する現在位置情報の提供サービスに於いては、ネットワークシステム側では、ＨＬＲ等の位置情報データベースを一定時間間隔で検索し、要求された現在位置をインターネットを介して、又はファクシミリにより通知、又はＰＨＳに対して直接的に要求条件に合致した場合に通知するものである。この場合、位置情報データベースを一定時間間隔でアクセスして位置情報を検索するもので、例えば、ＰＨＳ等の移動端末から要求された到着位置が現在位置から離れている場合、又はＰＨＳ等の移動端末間の距離が離れている場合でも、位置情報データベースに対するアクセスは一定時間間隔となり、多数の移動端末からの要求に対して位置情報データベースに対するアクセス頻度が増加し、通常の着信呼出制御等に影響を及ぼす問題がある。
【０００８】
本発明は、要求された条件に従って通知を行うと共に、位置情報データベースに対する無駄なアクセスを低減することを目的とする。
【０００９】
【課題を解決するための手段】
本発明の移動通信システムは、図１を参照して説明すると、要求された位置関係起動トリガシナリオに従って監視対象の移動端末３に対して通知を行う移動通信システムに於いて、移動端末３の位置情報を位置情報データベース１１によって管理する位置情報管理装置２と、位置関係起動トリガシナリオに従って監視対象の移動端末の位置情報を検索する位置情報検索装置１とを備え、この位置情報検索装置１は、位置関係起動トリガシナリオ９を登録し、且つ位置情報検索時間判定データ８を格納したデータ管理手段（データ管理部５）と、位置情報検索時間毎に位置情報管理装置２から移動端末の位置情報を取得し、この位置情報と位置関係起動トリガシナリオ９と位置情報検索時間判定データ８とを基に次回の位置情報検索時間を決定する位置情報検索手段（位置情報検索部６）と、この位置情報検索手段により検索した位置情報と位置関係起動トリガシナリオとを基に監視対象の移動端末に対する通知を行うか否かを判定する位置関係起動トリガ判定手段（位置関係起動トリガ判定部７）とを有するものである。
【００１０】
又位置情報検索装置１のデータ管理手段（データ管理部５）は、監視対象の移動端末が移動する各エリア間の最短距離を格納したエリア間最短距離テーブルを有し、位置情報検索手段（位置情報検索部６）は、監視対象の移動端末の位置情報又は監視対象の２台の移動端末のそれぞれの位置情報を基にエリア間の最短距離をエリア間最短距離テーブルから求めて、エリア間最短距離が短い程、短い時間間隔で次回位置情報検索時間を決定する機能を有するものである。
【００１１】
又位置情報検索装置１のデータ管理手段（データ管理部５）は、監視対象の移動端末がエリア間を移動する時間を格納したエリア間最短移動時間テーブルを有し、位置情報検索手段（位置情報検索部６）は、監視対象の移動端末の位置情報又は監視対象の２台の移動端末のそれぞれの位置情報を基にエリア間を移動する最短移動時間をエリア間最短移動時間テーブルから求めて、エリア間最短移動時間が短い程、短い時間間隔で次回位置情報検索時間を決定する機能を有するものである。
【００１２】
本発明の位置情報通知制御方法は、要求された位置関係起動トリガシナリオに従って監視対象の移動端末に対して通知を行う位置情報通知制御方法であって、位置情報管理装置１の位置情報データベース１１により管理している監視対象の移動端末の位置情報を、位置情報検索時間毎に位置情報検索装置１の位置情報検索手段（位置情報検索部６）によって検索して求め、この位置情報と位置関係起動トリガシナリオ９と位置情報検索判定データ８とを基に次回位置検索時間を決定し、位置情報検索手段（位置情報検索部６）により求めた位置情報と位置関係起動トリガシナリオ９とを基に監視対象の移動端末に対する通知を行うか否かを位置関係起動トリガ判定手段（位置関係起動トリガ判定部７）により判定する過程を含むものである。
【００１３】
又位置情報検索手段（位置情報検索部６）に於ける次回位置情報検索時間を、監視対象の移動端末とエリアとの間又は２台の移動端末間が短い程、短い時間間隔として設定する過程を含むことができる。
【００１４】
【発明の実施の形態】
図１は本発明の実施の形態の説明図であり、移動通信システムの要部を示し、位置情報検索装置１と、位置情報管理装置２と、移動端末３と、カスタマ４と、エリア１，２，３・・・とを示し、これらのエリア対応の基地局を含む移動交換ネットワークは図示を省略している。
【００１５】
又位置情報検索装置１は、データ管理手段としての位置情報検索時間判定データ８や位置関係起動トリガシナリオ９を格納したデータ管理部５と、位置情報検索手段としての位置情報検索データ１０を処理する位置情報検索部６と、位置関係起動トリガ判定手段としての位置関係起動トリガ判定部７とを含み、位置情報管理装置２は、位置情報ＤＢ（位置情報データベース）１１を備えている。
【００１６】
位置情報検索装置１及び位置情報管理装置２は、例えば、ネットワークシステム側のサービス制御局に設けることができるものであり、又移動機３と位置情報検索装置１との間は、図示を省略した基地局等を介して通信することができる。又カスタマ４は、例えば、移動端末３の所有者やそれ以外の第三者とすることができる。又位置関係起動トリガシナリオ情報としては、その登録者，監視対象，起動トリガ条件，通知先，通知方法等を含むことができる。監視対象としては、移動端末ＩＤ，エリアＩＤ等により指定することができる。又起動トリガ条件としては、監視対象の移動端末が指定したエリア内に移動した場合、監視対象の２台の移動端末が同一エリア内に移動した場合、監視対象の２台の移動端末間の距離が所定の距離以内になった場合等に通知する為の条件を登録することができる。又通知方法としては、アラーム鳴動，ｅメール送信，自動アナウンス等を指定することができる。
【００１７】
又位置情報検索時間判定データ８は、移動端末３の現在位置情報と、起動トリガ条件とに従った次回の位置情報検索時間を判定する為のデータを示し、例えば、指定した位置（エリア）に対して現在位置が非常に離れている場合には、次回位置情報検索時間までの時間間隔を長くし、接近するに従って時間間隔を短くして次回位置情報検索時間を決定する。
【００１８】
又位置情報管理装置２の位置情報ＤＢ１１に、例えば、移動端末ＩＤ対応に現在位置を登録するもので、通常の制御チャネルを用いた位置登録手段を適用して、移動端末３の現在の位置情報を登録することができる。そして、位置情報検索部６からの位置情報検索要求に従って移動端末３の位置情報を返送する。又カスタマ４又は移動端末３からの基地局（図示せず）等を介して、位置関係起動トリガシナリオ情報登録要求を、位置情報検索装置１が受信すると、データ管理部５に、位置関係起動トリガシナリオ９として登録する。
【００１９】
又位置情報検索装置１の位置情報検索部６は、データ管理部５に登録された位置関係起動トリガシナリオ９に従って位置情報管理装置２の位置情報ＤＢ１１に対して位置情報を要求し、移動端末の位置情報を取得し、この位置情報検索データ１０と、位置情報検索時間判定データ８と位置関係起動トリガシナリオ９とを基に、次回位置情報検索時間を決定する。又位置関係起動トリガ判定部７は、位置関係起動トリガシナリオ９と位置情報検索データ１０とを基に、起動トリガ条件となったことを判定すると、監視対象の移動端末３に対して通知する。
【００２０】
図２は本発明の基本的な処理フローチャートを示し、位置情報検索時間判定データ８と、位置関係起動トリガシナリオ９とをデータ管理部５により管理し（Ａ１）、各シナリオ毎に、位置情報の検索時間に従って監視対象移動端末の位置情報を獲得し（Ａ２）、２台の移動端末間又は移動端末とエリアとの間の監視対象間の位置関係を割り出し（Ａ３）、監視対象の位置関係に応じて、次回の位置情報検索時間を決定する（Ａ４）。そして、決定した次回位置情報検索時間になると、ステップ（Ａ２）に移行して、ステップ（Ａ２）〜（Ａ４）の処理を繰り返す。
【００２１】
図３は本発明の実施の形態の主要部の説明図であり、図１と同一符号は同一部分を示す。前述のように、位置情報管理装置２の位置情報ＤＢ１１に、移動端末からの位置情報登録によって移動端末の現在位置を例えばエリア単位で登録して管理する。なお、この位置情報管理装置２は、他の手段によって移動端末の現在位置を管理する構成とすることも可能である。
【００２２】
データ管理手段としてのデータ管理部５は、登録要求に従った位置関係起動トリガシナリオ９を登録し、又位置関係検索時間判定データ８を予め設定し、位置情報検索手段としての位置情報検索部６からの要求に従って位置関係起動トリガシナリオ９及び位置関係検索時間判定データ８を返送する。位置情報検索部６は、位置情報管理装置２の位置情報ＤＢ１１から移動端末の現在の位置情報を取得し、次に位置情報ＤＢ１１にアクセスする時間、即ち、次回位置情報検索時間を決定する。又位置情報ＤＢ１１から読出した移動端末の現在の位置情報を、位置関係起動トリガ判定手段としての位置関係起動トリガ判定部７に転送する。
【００２３】
位置関係起動トリガ判定部７は、監視対象の移動端末の位置情報と、データ管理部５の位置関係起動トリガシナリオ９とを基に、監視対象の移動端末に対する通知を行う起動トリガ条件となったか否かを判定し、起動トリガ条件となった時は、監視対象の移動端末に対して、位置関係起動トリガシナリオ９に従って、例えば、ブザー鳴動，音声アナウンス等により通知する。
【００２４】
図４は、監視対象の移動端末の在圏エリアと指定エリアとの間の最短距離に従った時間間隔で位置情報検索処理を行う本発明の実施の形態の処理フローチャートを示すもので、位置関係起動トリガシナリオの追加／更新（Ｂ１）、そして、位置情報検索部６は、位置関係起動トリガシナリオを参照し、監視対象の移動端末と指定エリアを抽出し（Ｂ２）、検索時間に従って、位置情報管理装置２の位置情報ＤＢ１１に対して、移動端末の現在の位置情報としてエリア情報を要求し、在圏エリア情報を獲得する（Ｂ３）。
【００２５】
又データ管理部５の位置情報検索時間判定データ８として、エリア間最短距離テーブルを含む場合に於いて、位置情報検索部６は、テーブルから、監視対象の移動端末の在圏エリアと指定エリアとの間の最短距離を求め（Ｂ４）、その最短距離に応じて次の位置情報を検索する時間を決定する（Ｂ５）。この場合、在圏エリアと指定エリアとの間の最短距離が短い程、次の位置情報を検索する時間間隔を短くする。従って、監視対象の移動端末の現在位置のエリアと目的としているエリアとの間の距離が非常に長い場合は、時間間隔を長くした次回位置情報検索時間を決定することにより、位置情報ＤＢ１１に対するアクセス頻度を低減することができる。
【００２６】
図５は、監視対象の移動端末の在圏エリアと指定エリアとの間の最短移動時間に従った時間間隔で位置情報検索処理を行う本発明の実施の形態の処理フローチャートを示すもので、位置関係起動トリガシナリオの追加／更新（Ｃ１）、そして、位置情報検索部６は、位置関係起動トリガシナリオを参照して、監視対象の移動端末と指定エリアとを抽出し（Ｃ２）、検索時間に従って、位置情報管理装置２の位置情報ＤＢ１１に対して、監視対象の移動端末のエリア情報を要求し、在圏エリア情報を獲得する（Ｃ３）。
【００２７】
又データ管理部５の位置情報検索時間判定データ８として、エリア間最短移動時間テーブルを含む場合に於いて、そのエリア間最短移動時間テーブルから、監視対象の移動端末の在圏エリアと指定エリアとの間の最短移動時間を抽出し（Ｃ４）、この抽出した最短移動時間が０か否かを判定し（Ｃ５）、０の場合は、隣接エリア間の場合に相当し、現在時間に最小検索時間間隔を加えた時間を、次回位置情報検索時間として決定し（Ｃ７）、ステップ（Ｃ３）に移行する。又最短移動時間が０でない場合は、隣接エリア間の場合ではないから、現在時間にその最短移動時間を加えた時間を、次回位置情報検索時間に決定し（Ｃ６）、ステップ（Ｃ３）に移行する。従って、監視対象の移動端末が目的のエリアに移動するまでの時間が長い場合は、次回位置情報検索時間の時間間隔を長くすることにより、監視対象の移動端末の現在位置のエリアと目的としているエリアとの間の距離が非常に長い場合、位置情報ＤＢ１１に対するアクセス頻度を低減することができる。
【００２８】
図６は、監視対象の移動端末間の距離に対応した時間間隔で位置情報検索処理を行う本発明の実施の形態の処理フローチャートを示すもので、位置関係起動トリガシナリオの追加／更新（Ｄ１）、そして、位置情報検索部６は、位置関係起動トリガシナリオを参照し、監視対象の２台の移動端末を抽出し（Ｄ２）、検索時間に従って、位置情報ＤＢ１１に対して監視対象の２台の移動端末のエリア情報を要求し、在圏エリア情報を獲得する（Ｄ３）。
【００２９】
又データ管理部５の位置情報検索時間判定データ８として、エリア間最短距離テーブルを含む場合に於いて、位置情報検索部６は、テーブルから、監視対象の２台の移動端末の在圏エリア間の最短距離を抽出し（Ｄ４）、この最短距離に応じて次回の位置情報の検索時間を決定する（Ｄ５）。そして、ステップ（Ｄ３）に移行し、決定した次回位置情報検索時間となると、位置情報ＤＢ１１に対してアクセスして位置情報を検索する。
【００３０】
図７は、監視対象の２台の移動端末の在圏エリア間の最短移動時間に従った時間間隔で位置情報検索処理を行う本発明の実施の形態の処理フローチャートを示すもので、位置関係起動トリガシナリオの追加／更新（Ｅ１）、そして、位置情報検索部６は、位置関係起動トリガシナリオを参照し、監視対象の２台の移動端末を抽出し（Ｅ２）、検索時間に従って、位置情報ＤＢ１１に対して、監視対象の２台の移動端末のエリア情報を要求し、それぞれの在圏エリア情報を獲得する（Ｅ３）。
【００３１】
又データ管理部５の位置情報検索時間判定データ８として、エリア間最短移動時間テーブルを含む場合に於いて、そのエリア間最短移動時間テーブルから、監視対象の２台の移動端末のそれぞれの在圏エリア間の最短移動時間を抽出し（Ｅ４）、抽出した最短移動時間が０か否かを判定し（Ｅ５）、０の場合、即ち、隣接した在圏エリアの場合、現在時間に最小検索時間間隔を加えた時間を、次回の位置情報検索時間として決定し（Ｅ７）、ステップ（Ｅ３）に移行する。又最短移動時間が０でない場合は、現在時間に、その最短移動時間を加えた時間を、次回の位置情報検索時間として決定し（Ｅ６）、ステップ（Ｅ３）に移行する。
【００３２】
図８は、例えば、ＧＰＳ搭載の移動端末等の実際の位置情報を獲得できる場合の本発明の実施の形態の処理フローチャートを示すもので、監視対象の２台の移動端末がそれぞれ同一エリア或いは隣接エリアに存在すると判定した場合（Ｆ１）、監視対象の２台の移動端末に対して、位置特定情報を要求し、それぞれの位置情報を獲得し（Ｆ２）、獲得した実際の位置情報から、監視対象の２台の移動端末間の距離を割り出し（Ｆ３）、この距離が短い程、時間間隔を短くした次回の位置情報検索時間を設定する（Ｆ４）。
【００３３】
図９は位置関係起動トリガシナリオの説明図であり、登録者ＩＤと、監視対象１の移動端末ＩＤと、監視対象２の移動端末ＩＤ又はエリアＩＤと、起動トリガ条件の例えば同一エリア内＝０，実際の距離＝（ｍ）と、通知先と、通知方法の例えばアラーム＝０，Ｅｍａｉｌ＝１，発信アナウンス＝２とを含み、例えば、図１に於けるカスタマ４を登録者とし、監視対象１を移動端末Ａ、監視対象２をエリア１、起動トリガ条件を０、通知先を移動端末Ａ、通知方法を１として登録し、又移動端末Ｂを登録者とし、監視対象１を移動端末Ｂ、監視対象２を移動端末Ｃ、起動トリガ条件を１００（ｍ）、通知先を移動端末Ｂ、通知方法を０として登録した場合を示す。
【００３４】
図１０はエリア間最短距離テーブルの説明図であり、エリア間の最短距離をエリア対応に予め求めてテーブルに格納するもので、エリア間の最短距離＝０の場合、隣接するエリア間を示す。又一つのエリアを介在したエリア間の最短距離は、介在しているエリアの大きさに従った距離となる。なお、基地局対応のエリアの集合をエリア情報として処理するシステムは、そのエリア情報に従ったエリア間の最短距離とすることができる。
【００３５】
図１１はエリア間最短移動時間テーブルの説明図であり、エリア間の最短移動時間を予め求めてテーブルに格納するもので、隣接エリア間の最短移動時間は０となる。従って、この最短移動時間が０の場合には、監視対象１，２のエリアが隣接していると判定することができる。
【００３６】
前述の図１０のエリア間最短距離テーブルと、図１１のエリア間最短移動時間テーブルとは、距離と時間との関係であるから、対応した内容となる場合が一般的であるが、例えば、エリア間が比較的距離が短いとしても、交通手段が回り道となる場合、エリア間の最短移動時間を比較的長く設定することになる。更に、移動端末の移動速度を求めることにより、実際に近いエリア間の移動時間を求めることも可能である。この移動端末の移動速度を求める手段は、既に各種の手段が提案されている。
【００３７】
図１２は、監視対象間の距離に応じて、次回の位置情報検索時間を算出する場合の説明図であり、横軸を監視対象間距離（ｋｍ）、縦軸を次回検索時間Ｔ（ｍｉｎ）とし、監視対象１，２として移動端末とエリアとが指定された場合は、実線で示すように、監視対象１の移動端末と監視対象２のエリアとの間の距離が短い程、次回検索時間を短くする。又監視対象１，２の２台の移動端末の場合は、点線で示すように、それらの間の距離が短い程、次回検索時間を短くするものであるが、２台の移動端末がそれぞれ移動するから、次回検索時間は監視対象２をエリアとした場合に比較して短くする。例えば、監視対象１を移動端末、監視対象２をエリアとした場合の次回検索時間に対して、監視対象１，２を移動端末とした場合は、１／２に設定することもできる。
【００３８】
図１３は、位置情報検索部６に於ける位置情報検索データ１０の一例の説明図であり、登録者ＩＤと、監視対象１，２と、次回位置情報検索時間とを含み、例えば、登録者をカスタマとし、監視対象１を移動端末Ａ、監視対象２をエリア１、次回位置情報検索時間を１９：００：００、又登録者を移動端末Ｂ、監視対象１を移動端末Ｂ、監視対象２を移動端末Ｃ、次回位置情報検索時間を１９：０１：２０とした場合を示している。位置情報検索部６は、次回位置情報検索時間を昇順にソートして管理し、内部の時計機構に従って、ソートした先頭の監視対象１，２についての位置情報獲得要求を、位置情報管理装置２の位置情報ＤＢ１１に対して送出して、位置情報の検索を行うものである。
【００３９】
図１４は位置情報検索手順の説明図であり、位置情報検索装置１の位置情報検索時間判定テーブル８として、エリア間最短移動時間テーブルを有し、位置関係起動トリガシナリオ９として、登録者ＩＤ＝カスタマＰ、監視対象１＝移動端末Ａ、監視対象２＝エリア１、通知条件＝０、通知先＝移動端末Ａ、通知方法＝１（Ｅ−ｍａｉｌ）とし、移動端末Ａがエリア４→エリア３→エリア２→エリア１の経路で移動する場合、ステップＳ０〜Ｓ１１の処理が行われる。
【００４０】
即ち、ステップＳ０に於いては、次回位置情報検索時間となるまで位置情報の検索が行われない状態を示し、この時、移動端末Ａは例えばエリア４に移動している。次のステップＳ１に於いては、位置関係起動トリガシナリオの監視対象１の移動端末Ａの位置情報を、位置情報管理装置２の位置情報ＤＢ１１に要求し、移動端末Ａの位置情報としてエリア４の情報を獲得する。
【００４１】
次のステップＳ２に於いては、エリア間最短移動時間テーブルから、エリア４とエリア１との間の最短移動時間の１０分を抽出し、現在時間にこの最短移動時間を加えた時間を次回位置情報検索時間として設定する。次のステップＳ３に於いては、次回位置情報検索時間まで監視対象の移動端末Ａについての検索処理を休止する。移動端末Ａはこの間に例えばエリア３に移動する。
【００４２】
次のステップＳ４に於いては、ステップＳ１と同様にして、移動端末Ａの位置情報のエリア３の情報を獲得し、次のステップＳ５に於いては、ステップＳ２と同様にして、エリア３とエリア１との間の最短移動時間の３分を抽出し、現在時間に、この最短移動時間を加えた時間を次回位置情報検索時間として設定する。ステップＳ６に於いては、この次回位置情報検索時間になるまで、移動端末Ａについての位置情報検索処理を休止する。この間に、移動端末Ａは例えばエリア３からエリア２に移動する。
【００４３】
次のステップＳ７に於いては、ステップＳ１と同様にして、移動端末Ａの位置情報としてエリア２の情報を獲得し、次のステップＳ８に於いては、ステップＳ２と同様にしてエリア２とエリア１との間の最短移動時間０分を抽出する。エリア間最短移動時間が０であるから、現在時間に最小検索時間間隔（例えば、１分）を加えた時間を次回位置情報検索時間として設定する。
【００４４】
次のステップＳ９に於いては、次回位置情報検索時間まで、監視対象の移動端末Ａの位置情報検索を休止する。この間に移動端末Ａは例えばエリア１に移動する。次のステップＳ１０に於いては、ステップＳ１と同様にして、移動端末Ａの位置情報としてエリア１の情報を獲得する。次のステップＳ１１に於いては、位置関係起動トリガ判定部７（図１参照）に於いて、起動トリガ条件判定に従って、移動端末Ａがエリア１内に移動したことを知らせる通知方法＝１（Ｅ−ｍａｉｌ）を、通知先の移動端末Ａに対して送信する。それにより、移動端末Ａは、目的のエリア１に移動したことを認識することができる。
【００４５】
図１５は位置情報検索手順の説明図であり、位置情報検索装置１の位置情報検索時間判定テーブル８として、エリア間最短距離テーブルを有し、位置関係起動トリガシナリオ９として、登録者ＩＤ＝移動端末Ｂ、監視対象１＝移動端末Ｂ、監視対象２＝移動端末Ｃ、通知条件＝１００（ｍ）、通知先＝移動端末Ｂ、通知方法＝０（アラーム）とし、監視対象１の移動端末Ｂがエリア５に存在し、監視対象２の移動端末Ｃがエリア１に存在する場合に於いて、次に説明するステップＳ０〜Ｓ１１の処理が行われる。
【００４６】
ステップＳ０は初期状態であり、次のステップＳ１に於いては、位置関係起動トリガシナリオの監視対象１，２の移動端末Ｂ，Ｃの位置情報を、位置情報管理装置２の位置情報ＤＢ１１に要求し、移動端末Ｂのエリア５の情報と、移動端末Ｃのエリア１の情報とを獲得する。
【００４７】
次のステップＳ２に於いては、エリア間最短距離テーブルから、エリア５とエリア１との間の最短距離２００ｋｍを抽出し、エリア間最短距離をｄ（ｋｍ）として、次回位置情報検索時間Ｔ＝（１／５）ｄ＋１（ｍｉｎ）により求める。即ち、エリア間最短距離ｄが短い程、短い時間間隔で次回位置情報検索時間を決定することができる。なお、最小検索時間間隔を１（ｍｉｎ）とした場合を示すが、この次回位置情報検索時間Ｔは、他の条件を加味して求めることも可能である。前述のエリア間最短距離ｄ＝２００（ｋｍ）の場合、次回位置情報検索時間Ｔ＝２００／５＋１＝４１（ｍｉｎ）となり、現在時間にこの次回位置情報検索時間Ｔの４１分を加算した時間を、次回位置情報検索時間として設定する。
【００４８】
次のステップＳ３に於いては、次回位置情報検索時間まで、監視対象１，２の移動端末Ｂ，Ｃの位置情報検索は休止する。この間に、例えば、移動端末Ｂはエリア５からエリア３に移動し、移動端末Ｃはエリア１に止まっている。次のステップＳ４に於いては、ステップＳ１と同様に、位置情報として、移動端末Ｂのエリア３の情報、移動端末Ｃのエリア１の情報を獲得する。次のステップＳ５に於いては、ステップＳ２と同様にして、エリア３とエリア１との間の最短距離３０ｋｍを抽出し、この最短距離３０ｋｍを基に、次回位置情報検索時間Ｔ＝３０／５＋１＝７（ｍｉｎ）を算出し、現在時間にこの次回位置情報検索時間の７分を加算した時間を、次回位置情報検索時間Ｔとして設定する。
【００４９】
次のステップＳ６に於いては、監視対象の移動端末Ｂ，Ｃの位置情報検索処理は、次回位置情報検索時間まで休止する。この間に、移動端末Ｂは例えばエリア３からエリア２に移動し、移動端末Ｃはエリア１に止まっている。次のステップＳ７に於いては、ステップＳ１と同様にして、位置情報として、移動端末Ｂのエリア２の情報、移動端末Ｃのエリア１の情報をそれぞれ獲得する。
【００５０】
次のステップＳ８に於いては、ステップＳ２と同様にして、エリア間最短距離テーブルから、エリア２とエリア１との間の最短距離０ｋｍを抽出する。エリア間最短距離が０ｋｍ（監視対象は隣接エリアに存在する）であるから、監視対象１，２の移動端末Ｂ，Ｃに対して位置特定情報を要求する。この位置特定情報を基に例えば移動端末Ｂ，Ｃ間の距離を５００ｍであると算出すると、次回位置情報検索時間Ｔ＝０．５／５＋１＝１．０１（１分６秒）として、現在時間にこの次回位置情報検索時間を加算した時間を次回位置情報検索時間として設定する。なお、移動端末の位置特定情報は、前述のＧＰＳを利用した比較的精度の高い位置情報、又はＰＨＳ等に於ける狭いエリアを利用した位置情報、又は基地局との間の電波の伝搬時間を基にして求めた位置情報等を利用することができる。
【００５１】
次のステップＳ９に於いては、次回位置情報検索時間まで、監視対象の移動端末Ｂ，Ｃについての位置情報検索を休止する。この間に、移動端末Ｂは例えばエリア２からエリア１に移動する。又移動端末Ｃはエリア１に止まっている。次のステップＳ１０に於いては、ステップＳ１と同様にして、監視対象１の移動端末Ｂの位置情報としてエリア１の情報、監視対象２の移動端末Ｃの位置情報としてエリア１の情報を獲得する。
【００５２】
次のステップＳ１１に於いては、監視対象１，２の移動端末Ｂ，Ｃが同一エリア内に存在するから、位置特定情報を要求する。移動端末Ｂ，Ｃからの位置特定情報によって例えば移動端末Ｂ，Ｃ間の距離が９０ｍであることを算出すると、起動トリガ条件判定により、移動端末Ｂと移動端末Ｃとの間の距離が１００ｍ以内になったことを通知するアラーム要求を、通知先の移動端末Ｂに対して送信する。それにより、移動端末Ｂは、移動端末Ｃが近くに存在することを認識できることになる。
【００５３】
（付記１）要求された位置関係起動トリガシナリオに従って監視対象の移動端末に対して通知を行う移動通信システムに於いて、前記移動端末の位置情報を位置情報データベースによって管理する位置情報管理装置と、前記位置関係起動トリガシナリオに従って監視対象の移動端末の位置情報を検索する位置情報検索装置とを備え、該位置情報検索装置は、前記位置関係起動トリガシナリオを登録し、且つ位置情報検索時間判定データを格納したデータ管理手段と、位置情報検索時間毎に前記位置情報管理装置から移動端末の位置情報を取得し、該位置情報と前記位置関係起動トリガシナリオと前記位置情報検索時間判定データとを基に次回の位置情報検索時間を決定する位置情報検索手段と、該位置情報検索手段により検索した前記位置情報と前記位置関係起動トリガシナリオとを基に監視対象の移動端末に対する通知を行うか否かを判定する位置関係起動トリガ判定手段とを有することを特徴とする移動通信システム。
【００５４】
（付記２）前記位置情報検索装置の前記データ管理手段は、前記監視対象の移動端末が移動する各エリア間の最短距離を格納したエリア間最短距離テーブルを有し、前記位置情報検索手段は、監視対象の移動端末の位置情報又は監視対象の２台の移動端末のそれぞれの位置情報を基にエリア間の最短距離を前記エリア間最短距離テーブルから求めて、エリア間最短距離が短い程、短い時間間隔で次回位置情報検索時間を決定する機能を有することを特徴とする付記１記載の移動通信システム。
（付記３）前記位置情報検索装置の前記データ管理手段は、前記監視対象の移動端末がエリア間を移動する時間を格納したエリア間最短移動時間テーブルを有し、前記位置情報検索手段は、監視対象の移動端末の位置情報又は監視対象の２台の移動端末のそれぞれの位置情報を基にエリア間を移動する最短移動時間を前記エリア間最短移動時間テーブルから求めて、エリア間最短移動時間が短い程、短い時間間隔で次回位置情報検索時間を決定する機能を有することを特徴とする付記１記載の移動通信システム。
【００５５】
（付記４）要求された位置関係起動トリガシナリオに従って監視対象の移動端末に対して通知を行う位置情報通知制御方法に於いて、位置情報管理装置の位置情報データベースにより管理している監視対象の移動端末の位置情報を、位置情報検索時間毎に位置情報検索装置の位置情報検索手段によって検索して求め、該位置情報と前記位置関係起動トリガシナリオと位置情報検索判定データとを基に次回位置検索時間を決定し、前記位置情報検索手段により求めた前記位置情報と前記位置関係起動トリガシナリオとを基に前記監視対象の移動端末に対する通知を行うか否かを位置関係起動トリガ判定手段により判定する過程を含むことを特徴とする位置情報通知制御方法。
【００５６】
（付記５）前記位置情報検索手段に於ける次回位置情報検索時間を、監視対象の移動端末とエリアとの間又は２台の移動端末間が短い程、短い時間間隔として設定する過程を含むことを特徴とする付記４記載の位置情報通知制御方法。
（付記６）前記位置関係起動トリガシナリオは、位置関係を監視する監視対象と、監視対象の移動端末に対して通知する為の起動トリガ条件と、通知先と、通知方法とを含み、前記位置情報検索手段に於ける位置情報検索データは、監視対象と該監視対応の次回位置情報検索時間とを含み、該次回位置情報検索時間を昇順にソートして監視対象の位置情報の検索を前記位置情報データベースに対して行う過程を含むことを特徴とする付記４記載の位置情報通知制御方法。
【００５７】
（付記７）前記位置情報検索時間毎に前記位置情報データベースを検索して求めた監視対象の位置情報としてのエリア情報により、エリア間最短距離テーブルを検索してエリア間最短距離を求め、該エリア間最短距離に所定の比率を乗算し、且つ最小検索時間間隔を加えた時間を次回の位置情報検索時間とし、該位置情報検索時間を現在時間に加えて次回位置情報検索時間を決定する過程を含むことを特徴とする付記４記載の位置情報通知制御方法。
（付記８）前記位置情報検索時間毎に前記位置情報データベースを検索して求めた監視対象の位置情報としてのエリア情報により、エリア間最短移動時間テーブルを検索してエリア間最短距移動時間を求め、該エリア間最短移動時間が０の時は最小検索時間間隔を現在時間に加えて次回位置情報検索時間とし、０でない時は、エリア間最短移動時間を減算時間に加えて次回位置情報検索時間とする過程を含むことを特徴とする付記４記載の位置情報通知制御方法。
【００５８】
（付記９）前記位置情報検索手段は、前記位置情報検索により求めた位置情報により、監視対象が同一エリア内又は隣接エリア内に存在すると判定した時に、監視対象の位置特定情報を要求し、該位置特定情報により前記位置関係起動トリガ判定手段は、前記位置関係起動トリガシナリオに従った起動トリガ条件か否かを判定する過程を含むことを特徴とする付記４記載の位置情報通知制御方法。
【００５９】
【発明の効果】
以上説明したように、本発明は、位置関係起動トリガシナリオによる監視対象の移動端末の位置情報を、位置情報検索時間毎に、位置情報データベース１１をアクセスして取得して、監視対象の移動端末へ通知する起動トリガ条件か否かを判定すると共に、移動端末の位置情報を基に、次回位置情報検索時間を決定するもので、監視対象の２台の移動端末間又は監視対象の移動端末とエリアとの間が遠く離れている程、次回の位置情報検索時間間隔を長くして、位置情報データベース１１に対するアクセス頻度を低減し、反対に近づくに従って次回の位置情報検索時間間隔を短くし、移動端末の移動に従って迅速な起動トリガ条件による判定が可能となり、監視対象の移動端末に対する通知を行うことができる利点がある。
【図面の簡単な説明】
【図１】本発明の実施の形態の説明図である。
【図２】本発明の基本的な処理フローチャートである。
【図３】本発明の実施の形態の主要部の説明図である。
【図４】本発明の実施の形態の処理フローチャートである。
【図５】本発明の実施の形態の処理フローチャートである。
【図６】本発明の実施の形態の処理フローチャートである。
【図７】本発明の実施の形態の処理フローチャートである。
【図８】本発明の実施の形態の処理フローチャートである。
【図９】位置関係起動トリガシナリオの説明図である。
【図１０】エリア間最短距離テーブルの説明図である。
【図１１】エリア間最短移動時間テーブルの説明図である。
【図１２】次回の位置情報検索時間の算出説明図である。
【図１３】位置情報検索データの説明図である。
【図１４】位置情報検索手順の説明図である。
【図１５】位置情報検索手順の説明図である。
【符号の説明】
１  位置情報検索装置
２  位置情報管理装置
３  移動端末
４  カスタマ
５  データ管理部
６  位置情報検索部
７  位置関係起動トリガ判定部
８  位置情報検索時間判定データ
９  位置関係起動トリガシナリオ
１０  位置情報検索データ
１１  位置情報ＤＢ（位置情報データベース）
【図１】
2004241876.tif 000003
【図２】
2004241876.tif 000004
【図３】
2004241876.tif 000005
【図４】
2004241876.tif 000006
【図５】
2004241876.tif 000007
【図６】
2004241876.tif 000008
【図７】
2004241876.tif 000009
【図８】
2004241876.tif 000010
【図９】
2004241876.tif 000011
【図１０】
2004241876.tif 000012
【図１１】
2004241876.tif 000013
【図１２】
2004241876.tif 000014
【図１３】
2004241876.tif 000015
【図１４】
2004241876.tif 000016
【図１５】
2004241876.tif 000017